(57)【要約】【課題】ピッキングによる不正開扉を安価で且つ確実に防止ができるピッキング防止錠を提供する。【解決手段】ドア１の室内側にロックバー嵌合係止部材１４を固定し、該ロックバー嵌合係止部材に先端部が嵌合してドアの開きを阻止するロックバー１１をドア枠側に水平方向にスライド可能に設け、該ロックバーをロックバー移動手段により、施錠位置と開錠位置に移動させる。ロックバー移動手段は室内からは手動で直接作動でき、室外からはキーによって作動される。ロックバー移動手段は、ロックバー１１の他端部に作動アーム１６を揺動可能に連結し、該作動アームの回転軸心をスリーブに回転自在に嵌合されたドライバーピン２１に固定し、該ドライバーピン２１の他端部にキー溝が形成され、キーを指し込んでドライバーピン２１を回動させることによって作動アーム１６が一体に揺動して開錠することができる。【選択図】      図１
2004183328.tif 000002
【特許請求の範囲】
【請求項１】
開閉可能なドアと、該ドアの固定枠等の固定部材との間に設けられるピッキング防止錠であって、ロックバー嵌合係止部材、前記ロックバー嵌合係止部材に先端部が嵌合してドアの開きを阻止するロックバー、該ロックバーを前記ロックバー嵌合係止部材との嵌合係止位置と非嵌合係止位置に移動させるロックバー移動手段とからなり、前記ロックバー嵌合係止部材と、前記ロックバー及びロックバー移動手段の何れかがドアの室内側面に固定され、他方が固定部材の室内側面に設けられてなり、前記ロックバー移動手段は室内からは手動で直接作動でき、室外からはキーによって作動されるようにしてなることを特徴とするピッキング防止錠。
【請求項２】
前記ロックバー移動手段は、固定部に一端部を中心に揺動可能に軸着され、揺動端部が前記ロックバーの他端部に揺動可能に連結された作動アーム、固定部材を貫通して設けられたスリーブ、該スリーブに回転自在に嵌合され一端部が前記作動アームの一端に固定され、他端部に前記キーが嵌合するキー溝が形成されて前記スリーブ内に位置するように配置されたドライバーピンとからなることを特徴とする請求項１に記載のピッキング防止錠。
【請求項３】
前記スリーブ先端は外壁面に面していてキー差込み穴となっており、該キー差込み穴は目隠し板で目隠しされている請求項２に記載のピッキング防止錠。
【請求項４】
開閉可能なドアと、該ドアの固定枠等との間に設けられるピッキング防止錠であって、ドアの室内側面に固定されたロックバー嵌合係止部材、前記固定部材側に水平方向にスライド可能に設けられ、前記ロックバー嵌合係止部材に先端部が嵌合してドアの開きを阻止するロックバー、該ロックバーを前記ロックバー嵌合係止部材との嵌合係止位置と非嵌合係止位置に移動させるロックバー移動手段とからなり、該ロックバー移動手段は、モータ及び該モータの回転を前記ロックバーの直進運動に変換する伝動機構とからなり、該モータは室外からは携帯可能なリモートコントローラ又は室外に設置された定置コントローラにより駆動できるようしてなることを特徴とするピッキング防止錠。
【発明の詳細な説明】
【０００１】
【発明の属する技術分野】
本発明は、玄関ドア等のピッキング防止用補助キーとして適用可能なピッキング防止錠に関する。
【０００２】
【従来の技術】
近年、住宅やオフィス等の開閉扉の鍵穴に針金やピッキング用具を挿入して不正開錠して侵入する事件が多発している。それを防止するために、シリンダー錠等の構造を複雑にしたり、アラーム機構を設けたりしたピッキング防止態様の鍵が種々提供されている（例えば、特許文献１、特許文献２，特許文献３及び特許文献４参照）。
【０００３】
【特許文献１】
特開平５−２７２２６２号公報
【特許文献２】
特開平１０−１３１５６３号公報
【特許文献３】
特開２００２−９７８２３号公報
【特許文献４】
特開２００２−１７４０５９号公報
【０００４】
【発明が解決しようとする課題】
しかしながら、従来の上記ピッキング防止態様鍵は、従来使用している鍵と取り替えて新しく装着する必要があり、しかも高価である等の問題点がある。
そこで、本発明は従来使用している鍵はそのままに状態で使用でき、且つ簡単で安価な装置を従来の鍵と別個に付加的に設置することによって、ピッキングによる不正開扉を安価で且つ確実に防止ができるピッキング防止錠を提供することを目的とする。
【０００５】
【課題を解決するための手段】
上記目的を達成する請求項１の発明のピッキング防止錠は、開閉可能なドアと、該ドアの固定枠等の固定部材との間に設けられるピッキング防止錠であって、ロックバー嵌合係止部材、前記ロックバー嵌合係止部材に先端部が嵌合してドアの開きを阻止するロックバー、該ロックバーを前記ロックバー嵌合係止部材との嵌合係止位置と非嵌合係止位置に移動させるロックバー移動手段とからなり、前記ロックバー嵌合係止部材と、前記ロックバー及びロックバー移動手段の何れかがドアの室内側面に固定され、他方が固定部材の室内側面に設けられてなり、前記ロックバー移動手段は室内からは手動で直接作動でき、室外からはキーによって作動されるようにしてなることを特徴とする。
【０００６】
前記ロックバー移動手段は、固定部に一端部を中心に揺動可能に軸着され、揺動端部が前記ロックバーの他端部に揺動可能に連結された作動アーム、固定部材を貫通して設けられたスリーブ、該スリーブに回転自在に嵌合され一端部が前記作動アームの一端に固定され、他端部に前記キーが嵌合するキー溝が形成されて前記スリーブ内に位置するように配置されたドライバーピンとからなる構成することができる。前記キー溝はそれぞれのキーに対応して異なる形状を有し、それぞれ専用のキーでしかドライバーピンを回転することができないように構成してある。また、前記スリーブ先端は外壁面に面していてキー差込み穴となっており、該キー差込み穴は目隠し板で目隠しすることによって、外部から発見できないようにするのが望ましい。
【０００７】
上記目的を達成する請求項２の発明のピッキング防止錠は、開閉可能なドアと、該ドアの固定枠等との間に設けられるピッキング防止錠であって、ドアの室内側面に固定されたロックバー嵌合係止部材、前記固定部材側に水平方向にスライド可能に設けられ、前記ロックバー嵌合係止部材に先端部が嵌合してドアの開きを阻止するロックバー、該ロックバーを前記ロックバー嵌合係止部材との嵌合係止位置と非嵌合係止位置に移動させるロックバー移動手段とからなり、該ロックバー移動手段は、モータ及び該モータの回転を前記ロックバーの直進運動に変換する伝動機構とからなり、該モータは室外からは携帯可能なリモートコントローラ又は室外に設置された定置リモートコントローラにより駆動できるようしてなることを特徴とするものである。
【０００８】
【発明の実施の形態】
以下、本発明を図１及び図２に示す実施形態により詳細に説明する。
図１〜図３は本発明に係るピッキング防止錠の一実施形態を示している。
本実施形態のピッキング防止錠は、通常の開閉扉に付いている鍵と別個に隠し鍵として設けるものであり、通常のメインロックキーとで二重鍵を構成する。図１（ａ）は、本実施形態のピッキング防止錠を室内から見た図であり、図２は室外から見た図である。
図中１はドアであり、２はドア枠、３はドアに設けられた取っ手４と一体になっているメインロックキーである。本実施形態のピッキング防止錠１は、ドア枠２とドア１との間に設けられたものであり、固定部であるドア枠２に横方向にスライドするロックバー１１と該ロックバーのロックバー移動手段１２及びロックバーガイド１３を設け、ドアに前記ロックバー１１が嵌合するロックバー嵌合係止部材１４を設けてなる。ロックバーガイド１３及びロックバー嵌合係止部材１４は、図１（ｂ）に断面を示すように取付フランジ部１５を有する容易に破壊することのできない金属製のＵ字状アングル材で構成され、ドア框８及びドア１に中心軸線が一致するように取付フランジ部１５を介して固定されている。
【０００９】
ロックバー１１は、帯状鋼板で構成され、ロック時はそのドア側先端部がドアの開閉に邪魔にならない位置まで図１（ａ）実線に示すようにロックバーガイド１３側に引っ込み、ロック時にはロックバー嵌合係止部材１４とロックバーガイド１３側に跨って嵌合することによって、ドアが開くのを阻止するようになっている。ロックバー１１の他端部には、室内からは該ロックバーを自由に左右動できるように指係合片１９が設けられていると共に、室外からはキーによって左右動できるように、次のようなロックバー移動手段が設けられている。
【００１０】
ロックバー移動手段１２は、ロックバー１１の他端部にドア側に設けられた作動アーム１６に形成された長溝１７に嵌合するピン１８が突出形成され、該ピンが作動アーム１６の長溝１７に嵌合して作動アームとロックバーが連動され、作動アームが他端を中心に揺動することによって、ロックバー１１を図において左右動させるようになっている。本実施形態では、前記ロックバー移動手段はドア枠パネル部５の中間横桟９に設けられ、該中間横桟９に設けられたコ字状アングル材で形成された軸受けブラケット２０内に回動自在に軸受けされたドライバーピン２１が一体に固定されている。
【００１１】
ドライバーピン２１は、中間横桟９を貫通して固定されたスリーブ２２に回転自在に嵌合され、その先端が図３（ｂ）に示すように、中間横桟９の外側面から内側にへっこんで見えない位置に位置するような長さに形成され、その先端部に所定形状のキーが嵌合するキー溝２３が形成されている。したがって、ブッシュ２２内のドライバーピン２１の先端部から外壁面７までの円筒穴がキー差込み穴２４を構成している。キー溝２３は、通常のキーと同様に個別に違う形状に形成され、例えば図３（ｃ）の（イ）〜（ニ）に示すよう、マイナス形、プラス形、矩形、星形等任意形状に形成され、その形状は持ち主しか分からないようにする。キー２５は、キー差込み穴２４に嵌合するロッド２６を有し、その先端部２７がそれぞれのキー溝２３に対応した形状に形成されている。したがって、キー２５を指し込んでその先端部２７をキー溝に嵌合させた状態で回動させることによって、ドライバーピン２１が回動して作動アーム１６が一体に揺動する。
【００１２】
キー差込み穴２４は、図２に示すように、外部から小さな穴にしか見えず、鍵穴として目立ないように構成されている。本実施形態では、ドア枠のパネル部５の中間横桟９に設けられているため、該中間横桟９にスライド可能に目隠し板２８を設け、通常は該目隠し板図２で仮想線で示す位置にあってキー差込み穴を目隠ししてあり、外部からはそこに鍵穴があることは分からないようにしている。
【００１３】
本実施形態のピッキング防止錠は、以上のように構成され、室内から単に指係合片１９に指をかけて図１においてロックバー１１を左側に押せば、簡単に移動してロックバー１１がドアに設けられたロックバー固定部材１４に嵌合し、ロアが開かないように係止することができる。従って、この状態ではドアはメインロックキーと二重にロックされていることになり、例えメインロックキーがピッキングにより解錠されても、ドアは開く事ができず、外部からの侵入を防ぐ事ができる。そして、室内からは、その状態で右側に押せば簡単にロックバー１１がロックバー固定部材１４から抜け、子供でも容易にドアを開くことができる。
【００１４】
一方、外出する場合は、室外からはドアのメインロックキーをかけた状態で、目隠し板２８を図２の実線位置に移動させて、キー差込み穴２４にキー２５を差込み、その先端部２７をキー溝２３に嵌合させ、キー２５を回動させると、ドライバーピン２１が回動し、それに応じて作動アーム１６が一体に揺動し、ロックバー１１を揺動させることができる。従って、外部からはキー操作によって、ロックバーを簡単に左右動でき、ドアを二重にロックできる。ロック後は目隠し板をスライドさせてキー差込み穴２４を覆うことによって、外部からは二重ロックキーのシステムの存在が気付かれることがなく、ピッキング防止を図ることができる。そして、外部からのロックの解除は、施錠の場合と反対の動作を行えば簡単に開錠できる。
【００１５】
図４〜図５は、本発明のピッキング防止錠の他の実施形態を示している。本実施形態は、ドアに設けられたロックバー嵌合係止部材１４に、ドア枠等の固定部材に設けられたロックバーとが嵌合して、ドアがロックされることは前記実施形態と同様であるが、本実施形態では、ロックバーの駆動をモータで行い、且つ外部からはリモートコントロールで開閉できるようにした点が相違している。
即ち、本実施形態のピッキング防止錠３０では、図５にその要部を拡大して断面形状が示されているように、ロックバー３１はその先端部が直角に屈曲して作動部３２となっており、該作動部に正逆回転制御可能なモータ３３の出力軸３４に形成されたネジ３６に螺合する内ネジ穴が形成され、モータの出力軸３４と螺合している。モータ３３は適宜のブラケット３５を介して、室内側のドア框８に固定されている。そして、室内には、図示してないが、モータを正逆回転させるスイッチが設けられ、該スイッチを作動させることによって、自動的にロックバー３１が左右動して、施錠及び開錠が簡単にできるように構成されている。そして、室内からは停電などの時には、手動でも簡単に開閉できるように、出力軸を手動でも容易に回転できるように構成されている。
【００１６】
また、前記モータ３３は、室外からも駆動できるように、リモートコントロールスイッチが設けられており、外部からは携帯用のリモートコントローラを作動させることにより、開閉できるようになっている。なお、携帯用リモートコントローラに代えて、玄関の外側壁に予め設定したコード番号を入力することによって開閉する固定式リモートコントローラを配置しても良い。
【００１７】
図６及び図７は、本発明のピッキング防止錠のさらに他の実施形態であり、図４〜図５に示す実施形態の変形例である。本実施形態のピッキング防止錠４０では、ロックバー４１にラック４２を形成し、モータ４２の出力軸４３に固定したピニオン４４と噛み合うように構成されている。ロックバー４１は、図７に示すように、ピニオンが形成されている作動部４５を平行となるように屈曲して構成することによって、嵩張らずにコンパンクトに構成することができる。本実施形態の作動機構は、前記実施形態と同様であるので、詳細な説明は省略する。
【００１８】
以上、本発明の種種の実施形態について説明したが、本発明は上記実施形態に限るものでなく、その技術的思想の範囲内で種々の設計変更が可能である。例えば、前記全ての実施形態では、ロックバー嵌合係止部材をドアの室内側面に固定し、ロックバー及びロックバー移動手段を固定部材側に設けてあるが、これと逆に、ロックバー及びロックバー移動手段をドアの室内側面に固定し、ロックバー嵌合係止部材を固定部材側に設けてもよい。
【００１９】
【発明の効果】
以上のように本発明によれば、構造が簡単で剛健に且つ安価に製造することができ、しかもドア等に簡単に装着することが可能であり、従来の鍵と別個に付加的に設置することによって、ピッキングによる不正開扉を安価で且つ確実に防止ができる。また、請求項２の発明によれば、さらに前記ロックバー移動手段は室内からは子供でも手動で簡単に直接作動でき、室外からは特定のキーによって作動されるので、安全で且つ確実にピッキングを防止することができる。また、請求項３の構成によれば、外部からは二重ロックキーのシステムの存在が気付かれることがなく、ピッキング防止を図ることができる。また、請求項４の発明によれば、電動で駆動することができ、外部からはコード番号を入力しなければ開錠できないので、より確実にピッキング防止を図ることができる。
【図面の簡単な説明】
【図１】（ａ）は本発明の実施形態に係るピッキング防止錠の室側からみた平面図であり、（ｂ）はそのＡ―Ａ断面図である。
【図２】本発明の実施形態に係るピッキング防止錠の外側からみた平面図であある。
【図３】（ａ）は本発明の実施形態に係るピッキング防止錠のロックバー移動手段を示す断面図であり、（ｂ）はその要部拡大図、（ｃ）は（ｂ）におけるドライバの右側面図である。
【図４】本発明の他の実施形態に係るピッキング防止錠の平面断面図である。
【図５】図４における要部拡大図である。
【図６】本発明のさらに他の実施形態に係るピッキング防止錠の室側からみた平面図である。
【図７】図６におけるＢ−Ｂ断面図である。
【符号の説明】
１  ドア                                ２  ドア枠
１１、３１、４１  ロックバー
１３、ロックバーガイド                  １４  ロックバー嵌合固定部材
１６  作動アーム                        １９  指係合片
２１  ドライバーピン                    ２２  スリーブ
２３  キー溝                            ２４  キー差込み穴
２５  キー                              ２６  先端部
２８  目隠し板                          ３３、４２  モータ
４４  ピニオン                          ４６  ラック
【図１】
2004183328.tif 000003
【図２】
2004183328.tif 000004
【図３】
2004183328.tif 000005
【図４】
2004183328.tif 000006
【図５】
2004183328.tif 000007
【図６】
2004183328.tif 000008
【図７】
2004183328.tif 000009